(57)【要約】【課題】広告主ページの表示速度の向上や通信トラフィックの軽減を実現するとともにクッキーを持たない携帯電話端末のような通信端末に広告主ページを直接表示させた場合でも課金可能とすることができる広告方法、広告システム及び広告プログラムを提供すること及び様々な場所から簡単にインターネット接続可能で位置情報も送信できる携帯電話端末に対し、効果的な広告情報の提供が可能な広告方法等を提供すること。【解決手段】この広告方法は、広告掲載ページ１２に掲載された広告情報１３ａに、その直接のリンク先として広告主ページ１０が設定されており、かつ広告情報からのリンクに基づいて広告主ページにアクセスされた場合に、広告主ページが有するスクリプト３０の機能によりリンク元情報１１ａを取得するステップと、スクリプトの機能によりリンク元情報と広告主ページを特定するページ特定情報１０ａとを情報収集サーバ８に向けて送信するステップと、情報収集サーバがリンク元情報とページ特定情報とを格納するステップとを有している。【選択図】図１
2008097546.tif 000002
【特許請求の範囲】
【請求項１】
広告掲載ページに掲載された広告情報に、その直接のリンク先として広告主ページが設定されており、かつ該広告情報からのリンクに基づいて該広告主ページにアクセスされた場合に、前記広告主ページが有するスクリプトの機能によりリンク元情報を取得するステップと、
前記スクリプトの機能により前記リンク元情報と前記広告主ページを特定するページ特定情報を情報収集サーバに向けて送信するステップと、
前記情報収集サーバが前記リンク元情報と前記ページ特定情報とを格納するステップと、を有する広告方法。
【請求項２】
直接のリンク先として広告主ページが設定された広告情報を、広告掲載ページに掲載するステップと、
前記広告情報からのリンクに基づいて前記広告主ページにアクセスされた場合に、前記広告主ページが有するスクリプトの機能によりリンク元情報を取得するステップと、
前記スクリプトの機能により前記リンク元情報と前記広告主ページを特定するページ特定情報とを情報収集サーバに向けて送信するステップと、
前記情報収集サーバが前記リンク元情報と前記ページ特定情報とを格納するステップと、を有する広告方法。
【請求項３】
前記広告情報を表示可能な通信端末から端末位置情報を取得するステップと、
該端末位置情報と前記広告主の広告主位置情報との位置差分情報に基づいて前記広告情報の順位付けを行うステップとをさらに有し、
前記広告情報掲載ステップにおいて、該順位付けに基づいて前記広告掲載ページへの前記広告情報の掲載を行う請求項２に記載の広告方法。
【請求項４】
前記広告情報を表示可能な通信端末の端末位置情報を取得するステップと、
前記端末位置情報と前記広告主の広告主位置情報との位置差分情報を算出するステップと、
予め前記広告情報ごとに定められた広告料及び前記位置差分情報に基づいて広告価値情報を算出するステップと、
前記通信端末に前記広告情報が表示された場合に前記広告情報からのリンクに基づいて前記広告主ページに前記アクセスされる確率を指標するアクセス期待値を推定するステップと、
前記広告価値情報及び前記アクセス期待値に基づいて前記広告情報の順位付けを行うステップとをさらに有し、
前記広告情報掲載ステップにおいて、該順位付けに基づいて前記広告掲載ページへの前記広告情報の掲載を行う請求項２に記載の広告方法。
【請求項５】
前記通信端末は携帯電話端末である請求項３又は請求項４のいずれか１項に記載の広告方法。
【請求項６】
直接のリンク先として広告主ページが設定された広告情報と、
該広告情報を広告掲載ページに掲載する掲載手段と、
広告主ページに含まれ、該広告掲載ページに掲載された前記広告情報からのリンクに基づきアクセスされた場合にそのリンク元情報を取得する機能と、該リンク元情報と前記広告主ページを特定するためのページ特定情報とを送信する機能とを備えるスクリプトと、
前記リンク元情報と前記ページ特定情報とを前記スクリプトから取得して内部に格納する情報収集サーバと、を有して構成される広告システム。
【請求項７】
前記広告情報を表示可能な通信端末から端末位置情報を取得する端末位置情報取得手段と、
該端末位置情報と前記広告主の広告主位置情報との位置差分情報に基づいて前記広告情報の順位付けを行う順位付け手段とをさらに有し、
前記掲載手段が、前記広告情報を前記順位付けに基づいて前記広告掲載ページへの前記広告情報の掲載を行う請求項６に記載の広告システム。
【請求項８】
コンピュータを、
直接のリンク先として広告主ページが設定された広告情報を広告掲載ページに掲載する掲載手段、
該広告情報からのリンクに基づいて前記広告主ページにアクセスされた場合に前記広告主ページが有するスクリプトが取得するリンク元情報と該広告主ページを特定するためのページ特定情報とを前記スクリプトより取得する情報取得手段、及び、
取得した前記リンク元情報及び前記ページ特定情報を記録装置内に格納する格納手段、として機能させる広告プログラム。
【請求項９】
コンピュータを、
前記広告情報を表示可能な通信端末から端末位置情報を取得する端末位置情報取得手段、
前記端末位置情報と前記広告主の広告主位置情報との位置差分情報に基づいて前記広告情報の順位付けを行う順位付け手段、としてさらに機能させる請求項８に記載の広告プログラム。
【発明の詳細な説明】
【技術分野】
【０００１】
本発明は、広告方法、広告システム、広告プログラムに係り、特に広告情報の直接のリンク先にその広告情報の広告主のページを設定することにより、表示速度の向上や通信トラフィックの軽減を図るとともに広告費の課金に必要な様々な情報を情報収集サーバが円滑に収集可能な広告方法等に関する。
【背景技術】
【０００２】
従来より、インターネット等の通信網を介して、通信機能を備えたコンピュータや携帯電話端末等の通信端末への広告情報の提供が盛んに行われている。特に近年、手軽に持ち運べ、誰もが簡単に操作することができる通信端末である携帯電話端末でインターネット接続が可能となったことにより、携帯電話端末に対して広告情報を提供する機会が大幅に増加している。
【０００３】
インターネットを介して接続可能なサーバ等に格納されているＷＥＢページ（例えば、広告掲載ページ）を、携帯電話端末の表示部に表示させることで、携帯電話端末でも広告掲載ページを閲覧することができる。その広告掲載ページの一部に広告情報である文字情報や画像情報等を掲載することで広告情報の提供が行われる。携帯電話端末利用者（以下、利用者という。）は、携帯電話に形成されたボタン等を操作して掲載された広告情報を選択（クリック）することにより、その広告情報のリンク先にアクセスすることができる。
【０００４】
広告情報を選択すると携帯電話端末の表示部にはその広告情報の詳細情報、例えば広告主ページが表示されるようになっている。広告主ページには、一般に、広告主の店舗住所や連絡先、広告情報に係る商品情報等が掲載されている。したがって、広告情報が多数の利用者に提供されればされるほど、広告情報が選択され広告主ページが閲覧される回数の増加も期待でき、結果として広告主自身の知名度向上や、商品の知名度及び売上げの向上が期待できるようになる。
【０００５】
広告情報の提供は、広告代行業者によって行われることが多い。広告代行業者は、広告主から広告情報の提供の依頼を受け、その広告情報を様々な広告掲載ページに提供する。広告業者は、利用者が広告情報を選択して広告主ページにアクセスした回数等に応じて広告主から広告費を徴収し、広告掲載ページの管理者に広告掲載費を支払う。このように、広告主に対して広告費を発生させることを課金という。
【０００６】
課金を行うために、広告代行業者は選択された広告情報に関する情報を正確に把握する必要がある。広告業者はいずれの広告掲載ページに掲載されたいずれの広告主の広告情報が選択されたかについての情報（以下、選択情報という。）を取得し格納するための情報収集サーバを管理している。そのため、従来は、広告情報の直接のリンク先は情報収集サーバとなっており、情報収集サーバは取得した選択情報を格納するようになっていた。そして、取得した選択情報からいずれの広告主の広告情報が選択されたのかを判別し、その広告主ページにアクセスし、広告主ページを携帯電話端末に表示させるようになっていた。つまり、携帯電話端末には情報収集サーバを介して間接的に広告主ページが表示されることになる。このような、他のサーバを介して表示される間接的なリンク先を一般にリダイレクト先という。
【０００７】
しかし、情報収集サーバを介した広告主ページの表示では情報収集サーバを介するので、広告情報を選択してから広告主ページが表示されるまでの時間が、情報収集サーバを介さずに直接広告主ページを携帯電話端末に表示するよりも遅くなりがちである。このため。利用者が不満を抱く場合がある。さらに、広告情報が選択されるたびに、情報収集サーバは選択情報を取得し、いずれの広告主の広告情報が選択されたかを判別し、その広告主ページにアクセスし、その広告主ページを携帯電話端末に表示させるため、情報収集サーバにかかる負荷も増大する。
【０００８】
そこで、広告情報の直接のリンク先に広告主ページを設定したものとして、例えば特許文献１に開示のものがある。
【特許文献１】特開２００６−７９５７７
【発明の開示】
【発明が解決しようとする課題】
【０００９】
しかしながら、この特許文献１に記載のものでは、情報収集サーバによって利用者の通信端末が有するクッキー（Ｃｏｏｋｉｅ）に選択情報を記憶させる必要がある。携帯電話端末のような通信端末には、このクッキーを有していないものも多いため広告主ページを直接のリンク先とした場合には課金ができないという問題がある。また、情報収集サーバが取得した選択情報を利用者の通信端末に記憶させる必要があるため、情報収集サーバの負荷も軽減されていない。
【００１０】
さらに、携帯電話端末は現在位置を示す位置情報を送信することができ、その位置情報を利用した効果的な広告情報の提供も可能であるが、特許文献１に記載のものではそのような広告情報の提供を行うことが難しい。
【００１１】
本発明は上記の事情に鑑みて為されたもので、広告主ページの表示速度の向上や通信トラフィックの軽減を実現するとともにクッキーを持たない携帯電話端末のような通信端末に広告主ページを直接表示させた場合でも課金可能とすることができる広告方法、広告システム及び広告プログラムを提供することを例示的課題とする。
【００１２】
さらに、様々な場所から簡単にインターネット接続可能で位置情報も送信できる携帯電話端末に対し、効果的な広告情報の提供が可能な広告方法等を提供することを他の例示的課題とする。
【課題を解決するための手段】
【００１３】
上記の課題を解決するために、本発明の例示的側面としての広告方法は、広告掲載ページに掲載された広告情報に、その直接のリンク先として広告主ページが設定されており、かつ広告情報からのリンクに基づいて広告主ページにアクセスされた場合に、広告主ページが有するスクリプトの機能によりリンク元情報を取得するステップと、スクリプトの機能によりリンク元情報と広告主ページを特定するページ特定情報を情報収集サーバに向けて送信するステップと、情報収集サーバがリンク元情報とページ特定情報とを格納するステップとを有する。
【００１４】
広告情報の直接のリンク先として広告主ページが設定されているので、広告主ページが通信端末に表示されるまでの時間がリダイレクトによって表示される場合の時間に比べて短くなる。広告情報の直接のリンク先として広告主ページが設定されているので、例えば情報収集サーバがリダイレクト先を誤って判断し間違った広告主ページが表示されてしまうといったこともなく、通信端末に表示される広告主ページの信頼性が高まる。また、情報収集サーバがリダイレクト先にアクセスする必要がないので、情報収集サーバの負荷が軽減される。
【００１５】
スクリプトの機能によりリンク元情報とページ特定情報とが情報収集サーバに送信されるので、広告情報から一旦情報収集サーバを介したうえで広告主ページへとリダイレクトする必要なく、情報収集サーバが課金に必要な情報を取得することができる。通信端末により広告情報から広告主ページへのリンクが行われた際にも、リンク元情報やページ特定情報を含むクッキーを通信端末に保存させ、そのクッキーを情報収集サーバが読み取る必要がない。したがって、その通信端末がクッキーの機能を有さないもの、例えば携帯電話端末であっても問題がない。
【００１６】
情報収集サーバが、リンク元情報とページ特定情報とを格納するので、例えばこれらの情報を他のサーバや通信端末に格納したり、その情報を読み出したりする必要がなく通信トラフィックも軽減される。
【００１７】
また、検索エンジンを有する検索サイトが、リダイレクト先を有するＷＥＢページを検索結果から除外するような機能を持っていてもその影響を受けずに済む。
【００１８】
広告主ページは、ＷＥＢページであり、ＨＴＭＬ言語等のマークアップ言語により記述されてその構成や内容が定義されている。スクリプトは、簡易プログラムであって、マークアップ言語による記述だけではＷＥＢページが実現できない機能を実現する。例えば、ＨＴＭＬ言語の記載にスクリプトの記載を含ませれば、そのＷＥＢページにアクセスがあった場合等にスクリプトに様々な機能を発揮させることができる。このスクリプトの機能により、リンク元情報が取得され、リンク元情報とページ特定情報とが情報収集サーバに向けて送信される。
【００１９】
リンク元情報は、広告掲載ページを特定し、その広告掲載ページの管理者を特定するための情報であり、広告主から広告費を徴収した広告代行業者が、広告主に代わって広告掲載ページの管理者に広告費を支払うために必要な情報である。リンク元情報は、例えば広告掲載ページのＵＲＬであったり、広告掲載ページごとに異ならせて定められたＩＤ情報であったりする。
【００２０】
ページ特定情報は広告主ページを特定し、その管理者である広告主を特定するための情報であり、課金により発生した広告費を広告主から徴収するために必要な情報である。ページ特定情報は、例えば広告主ページのＵＲＬであったり、広告主ページごとに異ならせて定められたＩＤ情報であったりする。
【００２１】
本発明の他の例示的側面としての広告方法は、直接のリンク先として広告主ページが設定された広告情報を、広告掲載ページに掲載するステップと、広告情報からのリンクに基づいて広告主ページにアクセスされた場合に、広告主ページが有するスクリプトの機能によりリンク元情報を取得するステップと、スクリプトの機能によりリンク元情報と広告主ページを特定するページ特定情報とを情報収集サーバに向けて送信するステップと、情報収集サーバがリンク元情報とページ特定情報とを格納するステップとを有する。
【００２２】
広告情報の直接のリンク先として広告主ページが設定されているので、広告主ページが通信端末に表示されるまでの時間がリダイレクトによって表示される場合の時間に比べて短くなる。広告情報の直接のリンク先として広告主ページが設定されているので、例えば情報収集サーバがリダイレクト先を誤って判断し間違った広告主ページが表示されてしまうといったこともなく、通信端末に表示される広告主ページの信頼性が高まる。情報収集サーバがリダイレクト先にアクセスする必要がないので、情報収集サーバの負荷が軽減される。
【００２３】
スクリプトの機能によりリンク元情報とページ特定情報とが情報収集サーバに送信されるので、広告情報から一旦情報収集サーバを介したうえで広告主ページへとリダイレクトする必要なく、情報収集サーバが課金に必要な情報を取得することができる。通信端末により広告情報から広告主ページへのリンクが行われた際にも、リンク元情報やページ特定情報を含むクッキーを通信端末に保存させ、そのクッキーを情報収集サーバが読み取る必要がない。したがって、その通信端末がクッキーの機能を有さないもの、例えば携帯電話端末であっても問題がない。
【００２４】
情報収集サーバが、リンク元情報とページ特定情報とを格納するので、例えばこれらの情報を他のサーバや通信端末に格納したり、その情報を読み出したりする必要がなく通信トラフィックも軽減される。
【００２５】
また、検索エンジンを有する検索サイトが、リダイレクト先を有するＷＥＢページを検索結果から除外するような機能を持っていてもその影響を受けずに済む。
【００２６】
広告情報を表示可能な通信端末から端末位置情報を取得するステップと、端末位置情報と広告主の広告主位置情報との位置差分情報に基づいて広告情報の順位付けを行うステップとをさらに有し、広告情報掲載ステップにおいて、順位付けに基づいて広告掲載ページへの広告情報の掲載を行ってもよい。
【００２７】
位置差分情報に基づいた広告情報の順位付けに基づいて広告情報の掲載が行われるので、例えば利用者の周囲に複数の広告主が存在するとき、より近くに位置する広告主の広告情報を優先的に掲載することができる。つまり利用者にとってより有用な広告情報を優先的に掲載することが可能となる。
【００２８】
端末位置情報は通信端末により送信される情報で、通信端末の現在位置を示す情報である。端末位置情報は、通信端末の所在地を特定できる情報であればよく、例えば住所情報や、緯度経度情報、又は予め地図上に定められた座標軸に対する座標情報であってもよい。広告主位置情報は広告主の所在地（例えば、店舗位置）を特定できる情報であればよく、例えば店舗住所情報やその緯度経度情報、又は予め地図上に定められた座標軸に対する座標情報であってもよい。
【００２９】
位置差分情報は、端末位置情報と広告主位置情報との差分に基づき求められるもので、通信端末と広告主との距離を表すものである。
【００３０】
広告情報を表示可能な通信端末の端末位置情報を取得するステップと、端末位置情報と広告主の広告主位置情報との位置差分情報を算出するステップと、予め広告情報ごとに定められた広告料及び位置差分情報に基づいて広告価値情報を算出するステップと、通信端末に広告情報が表示された場合に広告情報からのリンクに基づいて広告主ページにアクセスされる確率を指標するアクセス期待値を推定するステップと、広告価値情報及びアクセス期待値に基づいて広告情報の順位付けを行うステップとをさらに有し、広告情報掲載ステップにおいて、順位付けに基づいて広告掲載ページへの広告情報の掲載を行ってもよい。
【００３１】
予め定めた広告料に基づいて広告価値情報を算出するので、例えば広告主が支払う広告料の高低に応じて広告情報の重要度を設定し、その重要度を広告価値情報に反映させることができる。端末位置情報と広告主位置情報との位置差分情報に応じて広告価値情報を算出するので、通信端末と広告主の所在地との距離を正確に把握することができ、適正に広告価値情報を算出することができる。例えば、距離が遠く広告効果が低い場合に広告の価値が低下したものとして広告価値情報を低い値とすることができる。
【００３２】
通信端末に広告情報が掲載された場合に広告情報からリンクに基づいて広告主ページにアクセスされる確率を指標するアクセス期待値を推定するので、アクセス期待値は広告効果の高低の程度（すなわち、広告効果の有効性）を示す指標となる。一般に、通信端末に掲載される広告情報は広告の概略情報であり、その広告情報を選択することによって広告主ページ等のさらなる詳細情報が閲覧可能となっている。例えば、アクセス期待値を、広告情報を同一の通信端末に複数回掲載した回数のうち、その広告情報が選択された回数の割合で定義してもよい。また、広告情報を掲載した複数台の通信端末のうち、その広告情報が選択された無線通信端末の台数の割合で定義してもよい。もちろんそれら回数及び台数の混在的な統計情報であってもよい。
【００３３】
これら広告価値情報とアクセス期待値とに基づいて広告情報の順位付けを行うので、広告情報の順位付けに広告の重要度、広告効果の有効性を適正に反映させることができる。そして、その順位付け情報に基づいて通信端末に広告情報を掲載させるので、重要かつ広告効果の高い広告情報を優先的に掲載させることができる。
【００３４】
通信端末が携帯電話端末であってもよい。
【００３５】
手軽に持ち運べ、誰もが簡単に操作することができ、普及率の高い携帯電話端末に広告情報を掲載するので、より多くの利用者に対し広告情報を提供でき、広告効果を一層高めることができる。
【００３６】
本発明のさらに他の例示的側面としての広告システムは、直接のリンク先として広告主ページが設定された広告情報と、広告情報を広告掲載ページに掲載する掲載手段と、広告主ページに含まれ、広告掲載ページに掲載された広告情報からのリンクに基づきアクセスされた場合にそのリンク元情報を取得する機能と、リンク元情報と広告主ページを特定するためのページ特定情報とを送信する機能とを備えるスクリプトと、リンク元情報とページ特定情報とをスクリプトから取得して内部に格納する情報収集サーバとを有して構成される。
【００３７】
広告情報の直接のリンク先として広告主ページが設定されているので、広告主ページが通信端末に表示されるまでの時間がリダイレクトによって表示される場合の時間に比べて短くなる。広告情報の直接のリンク先として広告主ページが設定されているので、例えば情報収集サーバがリダイレクト先を誤って判断し間違った広告主ページが表示されてしまうといったこともなく、通信端末に表示される広告主ページの信頼性が高まる。情報収集サーバがリダイレクト先にアクセスする必要がないので、情報収集サーバの負荷が軽減される。
【００３８】
スクリプトの機能によりリンク元情報とページ特定情報とが情報収集サーバに送信されるので、広告情報から一旦情報収集サーバを介したうえで広告主ページへとリダイレクトする必要なく、情報収集サーバが課金に必要な情報を取得することができる。通信端末により広告情報から広告主ページへのリンクが行われた際にも、リンク元情報やページ特定情報を含むクッキーを通信端末に保存させ、そのクッキーを情報収集サーバが読み取る必要がない。したがって、その通信端末がクッキーの機能を有さないもの、例えば携帯電話端末であっても問題がない。
【００３９】
情報収集サーバが、リンク元情報とページ特定情報とを格納するので、例えばこれらの情報を他のサーバや通信端末に格納したり、その情報を読み出したりする必要がなく通信トラフィックも軽減される。
【００４０】
また、検索エンジンを有する検索サイトが、リダイレクト先を有するＷＥＢページを検索結果から除外するような機能を持っていてもその影響を受けずに済む。
【００４１】
広告情報を表示可能な通信端末から端末位置情報を取得する端末位置情報取得手段と、端末位置情報と広告主の広告主位置情報との位置差分情報に基づいて広告情報の順位付けを行う順位付け手段とをさらに有し、掲載手段が、広告情報を順位付けに基づいて広告掲載ページへの広告情報の掲載を行ってもよい。
【００４２】
位置差分情報に基づいた広告情報の順位付けに基づいて広告情報の掲載が行われるので、例えば利用者の周囲に複数の広告主が存在するとき、より近くに位置する広告主の広告情報を優先的に掲載することができる。つまり利用者にとってより有用な広告情報を優先的に掲載するシステムが構成される。
【００４３】
本発明のさらに他の例示的側面としての広告プログラムは、コンピュータを直接のリンク先として広告主ページが設定された広告情報を広告掲載ページに掲載する掲載手段、広告情報からのリンクに基づいて広告主ページにアクセスされた場合に広告主ページが有するスクリプトが取得するリンク元情報と広告主ページを特定するためのページ特定情報とをスクリプトより取得する情報取得手段、及び、取得したリンク元情報及びページ特定情報を記録装置内に格納する格納手段として機能させる。
【００４４】
広告情報の直接のリンク先として広告主ページが設定されているので、広告主ページが通信端末に表示されるまでの時間がリダイレクトによって表示される場合の時間に比べて短くなる。スクリプトよりリンク元情報とページ特定情報とを取得するので、広告主ページをリダイレクト先として設定していなくても課金に必要な情報を取得できる。
【００４５】
リンク元情報とページ特定情報とが記録装置内に格納されるので、通信端末や他のサーバにそれらの情報を格納させる必要がない。さらに、通信端末がクッキーを持たない場合でも、記録装置内に、課金に必要な情報を格納できる。記録装置としては、例えば情報収集サーバが有するハードディスクが考えられる。もちろん、情報収集サーバに外付けされたハードディスクや、別のサーバが有するハードディスクであっても構わない。
【００４６】
また、検索エンジンを有する検索サイトが、リダイレクト先を有するＷＥＢページを検索結果から除外するような機能を持っていてもその影響を受けずに済む。
【００４７】
コンピュータを、広告情報を表示可能な通信端末から端末位置情報を取得する端末位置情報取得手段、端末位置情報と広告主の広告主位置情報との位置差分情報に基づいて広告情報の順位付けを行う順位付け手段としてさらに機能させるものであってもよい。
【００４８】
位置差分情報に基づいた広告情報の順位付けが行われるので、例えばその順位付けに基づいて利用者のより近くに位置する広告主の広告情報、つまり利用者にとってより有用な広告情報を優先的に掲載することができる。
【００４９】
本発明の更なる目的又はその他の特徴は、以下添付図面を参照して説明される好ましい実施の形態によって明らかにされるであろう。
【発明の効果】
【００５０】
本発明によれば、広告主ページの表示速度の向上や通信トラフィックの軽減を実現するとともにクッキーを持たない携帯電話端末のような通信端末に広告主ページを直接表示させた場合でも課金可能とすることができる。さらに、様々な場所から簡単にインターネット接続可能で位置情報も送信できる携帯電話端末に対し、効果的な広告情報の提供が可能な広告方法等を提供することができる。
【発明を実施するための形態】
【００５１】
［実施の形態１］
以下、本発明の実施の形態に係る広告方法を実現するための通信システムＳについて図面を用いて説明する。図１は、通信システムＳの全体構成を示す概略ブロック図である。通信システムＳは、通信端末としての携帯電話端末２、広告掲載サーバ４、広告主サーバ６及び情報収集サーバとして機能するアドサーバ８を有して大略構成されている。そして、広告主サーバ６内の広告主ページ１０の有するスクリプト３０とアドサーバ８とで広告システムＳ１が構成されている。
【００５２】
携帯電話端末２は、図２（ａ）に示すように本体である筐体２ａに表示部２ｂ、複数のボタン２ｃを有して構成されている。表示部２ｂは携帯電話端末の各種機能を表示するためのものである。ボタン２ｃは携帯電話端末２で通話する相手の電話番号や、ＷＥＢページのＵＲＬを入力したりするためのものである。ボタン２ｃにより入力された電話番号やＵＲＬは表示部２ｂに表示され、入力間違い等を確認することもできる。また、表示部２ｂに表示されたカーソル２ｄ（図２（ｂ）参照。）をボタン操作により移動操作することもできるようになっている。
【００５３】
携帯電話端末２は、他の携帯電話端末と通話できることはもちろん、通信網としてのインターネット２０に接続する機能も有する。携帯電話端末２のボタン２ｃを操作して表示部２ｂに表示されたＵＲＬ入力部２ｇにＷＥＢページのＵＲＬを入力すれば、インターネット２０を介してＷＥＢページにアクセスすることができ、表示部２ｂにそのＷＥＢページを表示することができるようになっている。ＵＲＬとはＷＥＢページが、インターネット２０に接続されたどのサーバ内のどのフォルダ内にあり、どのようなファイル名であるかを文字情報によって表現したものである。
【００５４】
また、表示されているＷＥＢページには、他のＷＥＢページがリンク先として設定された文字情報や画像情報（例えば、リンク処理情報２ｅ。）が掲載されている場合もある（図２（ｂ）参照。）。ボタン２ｃの操作により表示部２ｂに表示されたカーソル２ｄをリンク処理情報２ｅ上に合わせ、決定ボタン２ｆを押してその情報を選択することでリンク先のＷＥＢページにアクセスし、そのリンク先のＷＥＢページを表示部２ｂに表示させることもできるようになっている。
【００５５】
携帯電話端末２はリンク先の設定された情報を選択したことを示すアクセス情報１１をリンク先のＷＥＢページを有するサーバに向けて送信する機能も有している。アクセス情報には後述するリンク元情報１１ａも含まれている。これらインターネット接続機能やアクセス情報を送信する機能は、携帯電話端末２がインターネット２０に接続された携帯電話基地局と無線通信することにより実現しているが、ここでは携帯電話基地局の記載を省略している。
【００５６】
携帯電話端末２は、自身の位置情報（端末位置情報）９ａを計測する機能も有している。その位置情報計測機能は、例えばＧＰＳ（Ｇｌｏｂａｌ  Ｐｏｓｉｔｉｏｎｉｎｇ  Ｓｙｓｔｅｍ）システムを用いるものであってもよいし、複数の携帯電話基地局との間で行われる情報送受信により位置計測するものであってもよい。そして、その計測された端末位置情報９ａを広告掲載サーバ４に送信する機能も有している。
【００５７】
広告掲載サーバ４は、インターネット２０を介して携帯電話端末２、広告主サーバ６及びアドサーバ８との間で情報の送受信を行う。
【００５８】
広告掲載サーバ４は、図３に示すように筐体４ａ内に記憶装置としてのハードディスク４ｂを有して構成され、そのハードディスク４ｂには広告掲載ページ１２が格納されている。
【００５９】
広告掲載サーバ４は、携帯電話端末２から送信された端末位置情報９ａを取得し、その取得した端末位置情報９ａを含ませた広告要求情報９ｂをアドサーバ８に向けて送信する機能を有する。また、広告掲載ページ１２を携帯電話端末２に向けて送信する機能を有する。
【００６０】
広告掲載ページ１２が、携帯電話端末２の表示部２ｂに表示された状態を図４に示す。広告掲載ページ１２は、情報枠１２ａと広告掲載枠１２ｂとを有して構成されている。情報枠１２ａには、ニュース記事等の一般的な情報が掲載され、広告掲載枠１２ｂには広告情報１３ａ〜１３ｃが掲載される。
【００６１】
広告情報１３ａ〜１３ｃにはそれぞれ直接のリンク先として広告主ページが設定されている。そのため、広告情報１３ａ〜１３ｃが携帯電話端末２で利用者によって選択されると、アクセス情報１１は直接のリンク先である広告主ページを有する広告主サーバ６（詳細は後述。）に向けて送信されるようになっている。本実施の形態においては、広告情報１３ａの直接のリンク先として後述する広告主ページ１０が設定されている。
【００６２】
広告掲載枠を有する広告掲載ページとしては、例えばポータルサイトが挙げられ、インターネット２０を介してアクセス可能な広告掲載ページは多数存在する。
【００６３】
広告主サーバ６は、インターネット２０を介して携帯電話端末２、広告掲載サーバ４及びアドサーバ８との間で情報の送受信を行う。
【００６４】
広告主サーバ６は、図５に示すように筐体６ａ内に記憶装置としてのハードディスク６ｂを有して構成され、そのハードディスク６ｂには広告主ページ１０が格納されている。広告主サーバ６は、利用者によって広告情報１３ａが選択され、携帯電話端末２から送信されたアクセス情報１１を取得すると、アクセスされた広告主ページ１０を携帯電話端末２に向けて送信する機能を有している。
【００６５】
広告主ページ１０が、携帯電話端末２の表示部２ｂに表示された状態を図６に示す。広告主ページ１０には、その広告主の店舗住所や連絡先又は商品の詳細情報が記載されている。これにより利用者は、広告情報１３ａだけでは得られないより詳細な広告主についての情報を得ることができる。
【００６６】
広告主ページ１０はＷＥＢページであり、ＨＴＭＬ言語により記述されその構成や内容が定義されている。そして、このＨＴＭＬ言語による記載にスクリプト３０の記載が含ませてあるため、広告主ページ１０にアクセスがあった場合等にスクリプト３０の機能を発揮させることができる。ＨＴＭＬ言語による記載に含まれたスクリプト３０は、その機能を発揮する簡易プログラムであり、通常、携帯電話端末２の表示部２ｂには表示されない。
【００６７】
本実施の形態におけるスクリプト３０は、広告情報１３ａからのリンクに基づいて広告主ページ１０にアクセスがあった場合に、携帯電話端末２から送信されたアクセス情報１１より広告掲載ページ１２のＵＲＬ情報をリンク元情報１１ａとして取得する機能を発揮する。さらに、取得したリンク元情報１１ａと、ページ特定情報１０ａとしての広告主ページ１０のＵＲＬ情報とをアドサーバ８に向けて送信する機能を発揮する。
【００６８】
アドサーバ８は、広告代行業者によって管理されるサーバであって、インターネット２０を介して携帯電話端末２、広告掲載サーバ４及び広告主サーバ６との間で情報の送受信を行う。
【００６９】
アドサーバ８はコンピュータであり、図７に示すように筐体８ａ内にハードディスク８ｂを有して構成される。ハードディスク８ｂには広告主データベース８ｃ及び課金データベース８ｄが構築され、さらに広告プログラム８ｅが格納されている。
【００７０】
広告主データベース８ｃは、図８に示すように複数の広告情報１３ａ〜１３ｃ、その広告情報それぞれのリンク先情報１４ａ〜１４ｃとしての広告主ページのＵＲＬ情報及び広告主の所在地（店舗位置等）を示す広告主位置情報１６ａ〜１６ｃを有して構成されている。
【００７１】
広告情報１３ａ〜１３ｃは広告掲載ページ１２の広告掲載枠１２ｂに掲載させるためのものであり、直接のリンク先としてそれぞれに広告主ページつまりリンク先情報１４ａ〜１４ｃが設定されている。
【００７２】
広告主位置情報１６ａ〜１６ｃは、それぞれの広告情報１３ａ〜１３ｃの広告主の所在情報であり、例えば広告主の店舗位置（住所）を示すものである。
【００７３】
課金データベース８ｄは、図９に示すようにリンク元情報１１ａとしての広告掲載ページＵＲＬ情報１８ａ〜１８ｃ、ページ特定情報１０ａとしてのリンク先情報１４ａ〜１４ｃ及びアクセス回数情報１９を有している。そして、どの広告掲載ページに掲載された広告情報からのリンクに基づいて、どの広告主ページに何回アクセスがされたのかが分かるように各情報が関連付けられて構成されている。
【００７４】
広告掲載ページＵＲＬ情報１８ａ〜１８ｃは課金データベース８ｄに予め保持される情報である。アドサーバ８を管理する広告代行業者は、広告情報の掲載先として予め複数の広告掲載ページを定めている場合もあり、その広告掲載ページを特定するために広告掲載ページＵＲＬ情報１８ａ〜１８ｃが広告掲載ページごとに課金データベース８ｄに保持されている。もちろん、広告掲載ページ１２のＵＲＬ情報も広告掲載ページＵＲＬ情報１８ａ〜１８ｃに含まれている。
【００７５】
本実施の形態ではアクセス回数情報１９を、アクセス回数の累計として集計しているが、もちろん広告主ページへのアクセスごとに発生する広告費の累計として集計しても構わない。
【００７６】
広告プログラム８ｅは、アドサーバ８を、広告掲載ページ１２に広告情報１３ａを掲載するための掲載手段として機能させる。具体的には、広告プログラム８ｅはアドサーバ８に、広告主データベース８ｃが有する広告情報１３ａ〜１３ｃを広告掲載サーバ４に向けて送信する機能を発揮させる。
【００７７】
広告プログラム８ｅは、アドサーバ８を、スクリプト３０よりリンク元情報１１ａとページ特定情報１０ａとを取得する情報取得手段として機能させる。
【００７８】
広告プログラム８ｅは、アドサーバ８を、リンク元情報１１ａとページ特定情報１０ａとを記憶装置であるハードディスク８ｂに格納するための格納手段としても機能させる。具体的には、広告プログラム８ｅはアドサーバ８に、リンク元情報１１ａとページ特定情報１０ａとに基づいて課金データベース８ｄの該当するアクセス回数情報１９を加算する機能を発揮させる。
【００７９】
広告プログラム８ｅは、アドサーバ８を、携帯電話端末２から送信された端末位置情報９ａを取得する端末位置情報取得手段として機能させる。本実施の形態では、携帯電話端末２から送信された端末位置情報９ａは広告掲載サーバ４を中継してアドサーバ８に取得されているが、携帯電話端末２から送信された端末位置情報９ａを直接取得してもよい。
【００８０】
広告プログラム８ｅは、アドサーバ８を、取得した端末位置情報９ａに基づいて広告情報１３ａ〜１３ｃの順位付けを行うための順位付け手段としても機能させる。順位付けは、以下の手順に従って順位付け情報Ｈを算出し、算出された順位付け情報Ｈによって広告情報１３ａ〜１３ｃを順位付けすることにより行われる。
【００８１】
例えば、広告情報１３ａであれば、端末位置情報９ａと広告主位置情報１６ａとの位置差分情報（距離）Ｌ＝｜１６ａ−９ａ｜を求める。そして、次式で表される順位付け情報Ｈを算出する。
【００８２】
Ｈ＝ｋ×Ｌ  （ただし、ｋは係数）    −（１）
広告情報順位付けプログラムは、この順位付け情報Ｈを広告情報１３ｂ，１３ｃについても算出し、その順位付け情報Ｈに関連付けて広告情報を携帯電話端末２に向けて送信するようになっている。なお、係数ｋを１回のアクセス当たりに広告主が支払う広告費によって異ならせれば、１回のアクセスでより多くの広告費を支払う広告主の広告情報を上位に順位付けしたりすることも可能となる。
【００８３】
次にこの通信システムＳの動作について図１０に示すフローチャートに基づいて説明する。
【００８４】
まず、利用者がＵＲＬ入力部２ｇを携帯電話端末２の表示部２ｂに表示させる（Ｓ．１）。利用者が広告掲載ページ１２のＵＲＬをＵＲＬ入力部２ｇに入力し（Ｓ．２）、「位置情報を送信してＷＥＢページを表示」アイコン２ｈ（図２（ａ）参照。）を選択すると端末位置情報９ａが広告掲載サーバ４に向けて送信される（Ｓ．３）。広告掲載サーバ４は端末位置情報９ａを取得し、広告要求情報９ｂをアドサーバ８に送信する（Ｓ．４）。
【００８５】
アドサーバ８は取得した端末位置情報９ａと広告主位置情報１６ａ〜１６ｃとの差分から広告情報１３ａ〜１３ｃのそれぞれの位置差分情報Ｌを算出する（Ｓ．５）。アドサーバ８は算出された位置差分情報Ｌに基づいて広告情報１３ａ〜１３ｃの順位付け情報Ｈを算出し、順位付けを行う。（Ｓ．６）。順位付けされた広告情報１３ａ〜１３ｃが送信され、その順位付けに従って広告情報１３ａ〜１３ｃが広告掲載ページ１２に掲載される（Ｓ．７）。
【００８６】
広告情報１３ａ〜１３ｃは順位付け情報Ｈの小さい順に優先的に掲載される。優先的に掲載される広告情報を広告掲載枠１２ｂのより上方に掲載してもよいし、より注目度の高いアイコンを付加して掲載しても構わない。図４は、広告情報１３ａが最も順位付け情報Ｈが小さく上方に掲載され、広告情報１３ｃが最も順位付け情報が大きく下方に掲載された場合の広告掲載ページ１２を示している。
【００８７】
利用者が携帯電話端末２を操作し、広告情報１３ａが選択されると（Ｓ．８）、アクセス情報１１が広告主サーバ６に送信される（Ｓ．９）。広告主ページ１０の有するスクリプト３０はアクセス情報１１からリンク元情報１１ａを取得し（Ｓ．１０）、取得したリンク元情報１１ａとページ特定情報１０ａとをアドサーバ８に向けて送信する（Ｓ．１１）。アドサーバ８は取得したリンク元情報１１ａとページ特定情報１０ａとをハードディスク８ｂ内に格納し、課金データベース８ｄを更新する（Ｓ．１２）。
【００８８】
なお、広告掲載ページ１２のＵＲＬを送信するステップで、「位置情報を送信せずにＷＥＢページを表示」アイコン２ｉを選択した場合には係数ｋのみに基づいて広告情報１３ａ〜１３ｃの順位付けが行われる。
【００８９】
本実施の形態では、広告掲載ページ１２のＵＲＬと端末位置情報９ａとを同時に携帯電話端末２から送信しているが、先に端末位置情報９ａのみを送信し、その後に広告掲載ページ１２のＵＲＬを送信するようにも構成できる。
【００９０】
本実施の形態では、アドサーバ８が掲載手段、情報取得手段、格納手段、端末位置情報取得手段及び順位付け手段としての全ての機能を発揮するが、異なる複数のサーバ（コンピュータ）に各機能を分担させてもよい。これにより、アドサーバにかかる負荷を一層軽減することができる。
【００９１】
本実施の形態では通信端末として携帯電話端末を例に挙げて説明したが、これに限定されず、通信端末としては他にもインターネット接続可能なパーソナルコンピュータ、ＰＤＦ端末、ＰＨＳ端末等が考えられる。
【００９２】
［実施の形態２］
本発明の実施の形態２にかかる通信システムＳについて説明する。なお、実施の形態１と同様の構成については、同様の符号を付し、その説明を省略する。
【００９３】
この通信システムＳはコンピュータとしてのアドサーバ８を有し、アドサーバ８は携帯電話端末２、広告掲載サーバ４及び広告主サーバ６と情報送受信可能となっている（図１参照）。アドサーバ８は内部に広告プログラム８ｅを有している（図７参照）。アドサーバ８内の広告プログラム８ｅは、携帯電話端末２の端末位置情報９ａと広告主の広告主位置情報１６ａ〜１６ｃとの位置差分情報Ｌに応じた広告価値情報ＣＰＣ（図１１参照）を予め定めた広告料に基づいて算出する手段、アクセス期待値ＣＴＲを推定する手段、及び、広告価値情報ＣＰＣ及びアクセス期待値ＣＴＲ（図１２参照）に基づいて広告情報１３ａ〜１３ｃの順位付けを行う順位付け手段としてアドサーバ８を機能させる。もちろん、アドサーバ８は、上記実施の形態１と同様に、広告情報１３ａ〜１３ｃを広告掲載ページ１２に掲載する掲載手段、スクリプト３０からリンク元情報１１ａとページ特定情報１０ａとを取得する情報取得手段、取得したリンク元情報１１ａとページ特定情報１０ａとをハードディスク８ｂ内に格納する格納手段、端末位置情報９ａを取得する端末位置情報取得手段としても機能する。以下、広告情報１３ａ〜１３ｃの順位付け手順について説明する。
【００９４】
広告価値情報ＣＰＣは広告情報の重要度を指標する数値であり、広告主等が予め定めた広告情報１３ａの広告料及び位置差分情報Ｌに基づいて算出されるものである。例えば、位置差分情報Ｌ＝０ｋｍのときの広告料をＰ０、位置差分情報Ｌ＝２０ｋｍのときの広告料をＰ２０と予め定めておき、
ＣＰＣ＝ｆ（Ｌ）                          −（２）
ただし、ＣＰＣ［Ｌ＝０］＝ｆ（０）＝Ｐ０
ＣＰＣ［Ｌ＝２０］＝ｆ（２０）＝Ｐ２０
となる関数ｆ（Ｌ）を定義して、アドサーバ８により位置差分情報Ｌに応じた広告価値情報ＣＰＣを算出する（図１１参照）。関数ｆ（Ｌ）としては任意の関数が考えられ、例えば指数関数や１次関数を適用することができる。一般には、位置差分情報Ｌが大きくなるほど広告価値情報ＣＰＣが小さくなる関数が選択される。
【００９５】
アクセス期待値ＣＴＲは携帯電話端末２の表示部２ｂに広告情報が表示された場合にその広告情報がアクセスされる確率を指標する数値である。例えば、図４に示すように携帯電話端末２の表示部２ｂには、まず広告掲載ページ１２の広告掲載枠１２ｂに広告情報１３ａが掲載される。そして、携帯電話端末２の利用者がその広告情報１３ａを選択すると、表示部２ｂには図６に示すように広告主ページ１０が表示される。広告情報１３ａが表示部２ｂに表示されただけの場合に比較して、それよりも詳細な情報が記載された広告主ページ１０が表示された場合は非常に高い広告効果を発揮したと考えられる。したがって、アクセス期待値ＣＴＲを広告情報１３ａの詳細情報が表示されるであろう確率の期待値と定義し、広告情報１３ａの詳細情報表示確率（＝広告主ページ１０が表示された回数／広告情報１３ａが表示部２ｂに表示された回数）に基づいて推定することにより、その広告効果の有効性を指標する数値となる。
【００９６】
図１２に示すように、アクセス期待値ＣＴＲは位置差分情報Ｌに基づいて変動する数値であり、位置差分情報Ｌの関数ｊ（Ｌ）で表すことできる。一般には位置差分情報Ｌが遠くなるほどアクセス期待値ＣＴＲは低下する。しかし、広告主の知名度や広告情報１３ａの内容等によってアクセス期待値ＣＴＲが位置差分情報Ｌの増加とともにどの程度低下するかを特定するのは困難である。また、広告情報ごとにアクセス期待値ＣＴＲやその低下の度合いは異なる。したがって、アドサーバ８により、広告情報ごとのアクセス期待値ＣＴＲを推定する。
【００９７】
その推定演算は、ニューラルネットワークを利用した学習演算に基づいて行われる。すなわち、携帯電話端末２の表示部２ｂに広告情報１３ａが表示された場合における端末位置情報９ａ、及び広告主ページ１０が表示された場合における端末位置情報９ａの各分布データを取得し、それらを統計する。そしてその分布データから、所定の位置差分情報Ｌにおいて広告情報１３ａが表示された回数及び広告主ページ１０が表示された回数の統計情報を演算し、広告情報１３ａの詳細情報表示確率を算出する。図１２中の複数の△は、各位置差分情報Ｌにおける広告情報１３ａの詳細情報表示確率の実測値Ｒの分布を示す。その統計情報に基づいて、各位置差分情報Ｌにおける広告情報１３ａのアクセス期待値ＣＴＲを推定する。
【００９８】
このようにアクセス期待値ＣＴＲは、過去の統計情報に基づいて推定されるので、その統計情報の蓄積量が多くなるほど推定精度が向上し、また、統計情報が変動することによりアクセス期待値の推定値も変動することとなる。
【００９９】
上記のように算出された広告価値情報ＣＰＣ及び推定されたアクセス期待値ＣＴＲに基づいて、位置差分情報Ｌにおける順位付け情報Ｈ２を下記式（３）によって算出する。
【０１００】
Ｈ２＝ｋ２／（ＣＰＣ×ＣＴＲ）  （ただし、ｋ２は係数）    −（３）
広告情報１３ａの順位付け情報Ｈ２のみならず、他の広告情報（例えば広告情報１３ｂ，１３ｃ）についても順位付け情報Ｈ２を算出する。
【０１０１】
アドサーバ８は、この順位付け情報Ｈ２を広告情報１３ａに関連付けて携帯電話端末２に向けて送信し、広告掲載ページ１２にその広告情報１３ａを掲載する。広告情報１３ｂ，１３ｃについても、同様に順位付け情報Ｈ２を算出してそれぞれ関連付けて広告掲載サーバ４に向けて送信し、その広告情報１３ｂ、１３ｃを広告掲載ページ１２に掲載する。
【０１０２】
ここで、順位付け情報が小さい値の広告情報を順位付け情報が大きい値の広告情報よりも優先順位が高いものとし、優先的に広告掲載枠１２ｂに掲載させる。
【０１０３】
実施の形態１と同様に、高い優先順位の広告情報を低い優先順位の広告情報よりも広告掲載枠１２ｂのより上方に掲載したり（図４参照）、より注目度の高いアイコンを付加して掲載する。一方、広告掲載枠１２ｂに広告情報の表示スペースが１つしか存在しない場合には、高い優先順位の広告情報を低い優先順位の広告情報よりもより頻繁に掲載する。例えば、携帯電話端末２の利用者が広告掲載ページ１２の更新表示を１０回行った場合であって、その度に広告掲載枠１２ｂに新たな広告情報が掲載される場合に、優先順位の高い広告情報を更新表示１０回のうち７回掲載し、優先順位の低い広告情報を３回掲載してもよい。もちろん、それぞれの広告情報の掲載頻度（掲載確率）を、上式（３）で算出された各順位付け情報Ｈ２の値に比例するように設定してもよい。
【０１０４】
以上、本発明の好ましい実施の形態を説明したが、本発明はこれらに限定されるものではなく、その要旨の範囲内で様々な変形や変更が可能である。
【図面の簡単な説明】
【０１０５】
【図１】本発明の実施の形態に係る広告方法を実現するための通信システムの全体構成を示す概略ブロック図である。
【図２】図１に記載の携帯電話端末を示す図であり、（ａ）は表示部２ｂにＵＲＬ表示部が表示された状態、（ｂ）は表示部２ｂにリンク処理情報が表示された状態を示す。
【図３】図１に記載の広告掲載サーバの内部構成の概略を示すブロック図である。
【図４】図１に示す携帯電話端末の表示部に広告掲載ページが表示された状態を示す図である。
【図５】図１に記載の広告主サーバの内部構成の概略を示すブロック図である。
【図６】図１に示す携帯電話端末の表示部に広告主ページが表示された状態を示す図である。
【図７】図１に記載のアドサーバの内部構成の概略を示すブロック図である。
【図８】図７に示すアドサーバのハードディスク内に保持された広告主データベースの構造を示す構造図である。
【図９】図７に示すアドサーバのハードディスク内に保持された課金データベースの構造を示す構造図である。
【図１０】本発明の実施の形態１に係る通信システムの動作を示すフローチャートである。
【図１１】広告価値情報と位置差分情報との関係を示すグラフである。
【図１２】アクセス期待値と位置差分情報との関係を示すグラフである。
【符号の説明】
【０１０６】
ＣＰＣ：広告価値情報
ＣＴＲ：アクセス期待値
Ｈ，Ｈ２：順位付け情報
ｋ，ｋ２：係数
Ｌ：位置差分情報（距離）
Ｐ０，Ｐ６，Ｐ２０，Ｐ２６：広告料
Ｓ：通信システム
Ｓ１：広告システム
２：携帯電話端末
２ａ：筐体
２ｂ：表示部
２ｃ：ボタン
２ｄ：カーソル
２ｅ：リンク処理情報
２ｆ：決定ボタン
２ｇ：ＵＲＬ入力部
２ｈ：「位置情報を送信してＷＥＢページを表示」アイコン
２ｉ：「位置情報を送信せずにＷＥＢページを表示」アイコン
４：広告掲載サーバ
４ａ：筐体
４ｂ：ハードディスク
６：広告主サーバ
６ａ：筐体
６ｂ：ハードディスク
８：アドサーバ（情報収集サーバ、掲載手段、情報取得手段、格納手段、端末位置情報取得手段、順位付け手段）
８ａ：筐体
８ｂ：ハードディスク（記憶装置）
８ｃ：広告主データベース
８ｄ：課金データベース
８ｅ：広告プログラム
９ａ：端末位置情報
９ｂ：広告要求情報
１０：広告主ページ
１０ａ：ページ特定情報
１１：アクセス情報
１１ａ：リンク元情報
１２：広告掲載ページ
１２ａ：情報枠
１２ｂ：広告掲載枠
１３ａ〜１３ｃ：広告情報
１４ａ〜１４ｃ：リンク先情報
１６ａ〜１６ｃ：広告主位置情報
１８ａ〜１８ｃ：広告掲載ページＵＲＬ情報
１９：アクセス回数情報
２０：インターネット
３０：スクリプト
【図１】
2008097546.tif 000003
【図２】
2008097546.tif 000004
【図３】
2008097546.tif 000005
【図４】
2008097546.tif 000006
【図５】
2008097546.tif 000007
【図６】
2008097546.tif 000008
【図７】
2008097546.tif 000009
【図８】
2008097546.tif 000010
【図９】
2008097546.tif 000011
【図１０】
2008097546.tif 000012
【図１１】
2008097546.tif 000013
【図１２】
2008097546.tif 000014